(57)【要約】【課題】  一時的に車両を出庫させて再入庫させた場合でも、継続駐車として取り扱うことができ、使い勝手を著しく向上させることのできる駐車場システムを提供する。【解決手段】  駐車場の車室２に駐車した車両１の車番プレートのプレート情報を認識する駐車判断装置６と、駐車判断装置６により認識したプレート情報を記録するデータベースを備えた駐車判断装置６と、を備え、駐車判断装置６は、車両１が出庫した後に当該車室２に再入庫した場合に、駐車判断装置６による再入庫後のプレート情報と出庫前のプレート情報との比較結果に基づいて継続駐車であるか新規駐車であるかを判断する。【選択図】      図２
2014075081.tif 000002
【特許請求の範囲】
【請求項１】
駐車場の車室に駐車した車両の車番プレートのプレート情報を認識する駐車判断装置と、前記駐車判断装置により認識したプレート情報を記録するデータベースを備えた駐車判断装置と、を備え、
前記駐車判断装置は、前記車両が出庫した後に当該車室に再入庫した場合に、前記駐車判断装置による再入庫後のプレート情報と出庫前のプレート情報との比較結果に基づいて継続駐車であるか新規駐車であるかを判断することを特徴とする駐車場システム。
【請求項２】
前記駐車判断装置は、前記車両が出庫した後の時間情報に基づいて継続駐車であるか新規駐車であるかを判断することを特徴とする請求項１に記載の駐車場システム。
【請求項３】
前記駐車判断装置は、前記駐車判断装置による再入庫後のプレート情報と出庫前のプレート情報との比較結果が一定の割合以上で一致した場合に、継続駐車として取り扱うことを特徴とすることを特徴とする請求項１または請求項２に記載の駐車場システム。
【請求項４】
前記駐車判断装置は、前記駐車判断装置による再入庫後のプレート情報と出庫前のプレート情報との比較結果が一定の割合以下で一致する場合は、新規駐車として取り扱うことを特徴とする請求項１または請求項２に記載の駐車場システム。
【請求項５】
前記駐車判断装置により継続駐車として取り扱った旨または新規駐車として取り扱った旨を報知する報知手段を備えていることを特徴とする請求項１から請求項４のいずれか一項に記載の駐車場システム。
【請求項６】
前記駐車判断装置は、前記駐車判断装置による再入庫後のプレート情報と出庫前のプレート情報とに基づく継続駐車または新規駐車の判断結果を修正する入力部を備えていることを特徴とする請求項１から請求項５のいずれか一項に記載の駐車場システム。
【請求項７】
前記駐車判断装置は、駐車場に設置される精算機または前記車室に設置される端末装置の少なくとも一方に設けられていることを特徴とする請求項１から請求項６のいずれか一項に記載の駐車場システム。
【請求項８】
前記報知手段は、駐車場に設置される精算機または前記車室に設置される端末装置の少なくとも一方に設けられていることを特徴とする請求項１から請求項６のいずれか一項に記載の駐車場システム。
【発明の詳細な説明】
【技術分野】
【０００１】
本発明は駐車場システムに係り、特に、一時的に車両を出庫させて再入庫させた場合でも、継続駐車として取り扱うことを可能とした駐車場システムに関するものである。
【背景技術】
【０００２】
従来、時間貸し駐車場に設置される駐車場システムとしては、例えば、駐車場の車室ごとに、車両検出器、ロック板などを設置するとともに、車両の駐車料金の算出、表示、精算などを行う精算機を設置し、車両検出器により駐車車両を検出して一定時間経過するとロック板を上昇させて退出を阻止するとともに駐車時間の計測を始め、精算機により駐車料金が精算されるとロック板が下降して退出を許可するようにしたものがある。
【０００３】
また、その他の駐車場システムとして、近年、車両の車番プレートのプレート情報を読み取り、この読み取ったプレート情報に基づいて駐車管理を行うようにした技術が開発されている。
【０００４】
このような駐車場システムとして、従来、例えば、駐車場内に駐車する車両を撮影した映像を基にその車両番号を認識し、該認識された車両番号を含む駐車情報を記憶しておき、認識された車両番号に基づいて当該車両が過去に不正退出したことがあるか否かを判定する不正退出判定手段と、この判定された結果を外部に送受信する通信手段とを備えるようにした技術が開示されている（例えば、特許文献１参照）。
【先行技術文献】
【特許文献】
【０００５】
【特許文献１】特開２００３−２２８７４４号公報
【発明の概要】
【発明が解決しようとする課題】
【０００６】
しかしながら、前記特許文献１に記載の技術においては、車番プレートのプレート情報に基づいて車両の駐車管理を行うことができるのであるが、例えば、荷物の積み卸しなどを行うために、一時的に車両を車室から出庫させた場合に、出庫から一定時間経過してしまうと、精算機に記録されている駐車車室や駐車時間などの駐車情報がリセットされてしまい、荷物の積み卸しが完了した再び車両を車室に入庫させた場合に、新たな駐車として、駐車時間などの計測が開始されてしまうという問題を有している。このように再入庫の際に、新規駐車として処理されてしまうと、一時的に出庫した情報が、故意でなくても不正利用として登録されてしまい、利用者にとって極めて使い勝手が悪いものであった。
【０００７】
本発明は前記した点に鑑みてなされたものであり、一時的に車両を出庫させて再入庫させた場合でも、継続駐車として取り扱うことができ、使い勝手を著しく向上させることのできる駐車場システムを提供することを目的とするものである。
【課題を解決するための手段】
【０００８】
本発明は前記目的を達成するために、請求項１の発明に係る駐車場システムは、駐車場の車室に駐車した車両の車番プレートのプレート情報を認識する駐車判断装置と、前記駐車判断装置により認識したプレート情報を記録するデータベースを備えた駐車判断装置と、を備え、
前記駐車判断装置は、前記車両が出庫した後に当該車室に再入庫した場合に、前記駐車判断装置による再入庫後のプレート情報と出庫前のプレート情報との比較結果に基づいて継続駐車であるか新規駐車であるかを判断することを特徴とする。
【０００９】
請求項２に係る発明は、請求項１において、前記駐車判断装置は、前記車両が出庫した後の時間情報に基づいて継続駐車であるか新規駐車であるかを判断することを特徴とする。
【００１０】
請求項３に係る発明は、請求項１または請求項２において、前記駐車判断装置は、前記駐車判断装置による再入庫後のプレート情報と出庫前のプレート情報との比較結果が一定の割合以上で一致した場合に、継続駐車として取り扱うことを特徴とする。
【００１１】
請求項４に係る発明は、請求項１または請求項２において、前記駐車判断装置は、前記駐車判断装置による再入庫後のプレート情報と出庫前のプレート情報との比較結果が一定の割合以下で一致する場合は、新規駐車として取り扱うことを特徴とする。
【００１２】
請求項５に係る発明は、請求項１から請求項４のいずれか一項において、前記駐車判断装置により継続駐車として取り扱った旨または新規駐車として取り扱った旨を報知する報知手段を備えていることを特徴とする。
【００１３】
請求項６に係る発明は、請求項１から請求項５のいずれか一項において、前記駐車判断装置は、前記駐車判断装置による再入庫後のプレート情報と出庫前のプレート情報とに基づく継続駐車または新規駐車の判断結果を修正する入力部を備えていることを特徴とする。
【００１４】
請求項７に係る発明は、請求項１から請求項６のいずれか一項において、前記駐車判断装置は、駐車場に設置される精算機または前記車室に設置されるスタンドの少なくとも一方に設けられていることを特徴とする。
【００１５】
請求項８に係る発明は、請求項１から請求項６のいずれか一項において、前記報知手段は、駐車場に設置される精算機または前記車室に設置されるスタンドの少なくとも一方に設けられていることを特徴とする。
【発明の効果】
【００１６】
請求項１に係る発明によれば、車両が出庫した後に当該車室に再入庫した場合に、駐車判断装置による再入庫後のプレート情報と出庫前のプレート情報との比較結果に基づいて継続駐車であるか新規駐車であるかを判断するようにしているので、一時的に車両を出庫させて再入庫させた場合でも、継続駐車として取り扱うことができ、使い勝手を著しく向上させることができる。
【００１７】
請求項２に係る発明によれば、駐車判断装置により、車両が出庫した後の時間情報に基づいて継続駐車であるか新規駐車であるかを判断するようにしているので、時間情報に基づいて確実に継続駐車であるか新規駐車であるかを判断することができる。
【００１８】
請求項３に係る発明によれば、駐車判断装置により、駐車判断装置による再入庫後のプレート情報と出庫前のプレート情報との比較結果が一定の割合以上で一致した場合に、継続駐車として取り扱うようにしているので、確実に継続駐車であるか新規駐車であるかを判断することができる。
【００１９】
請求項４に係る発明によれば、駐車判断装置により、駐車判断装置による再入庫後のプレート情報と出庫前のプレート情報との比較結果が一定の割合以下で一致する場合は、新規駐車として取り扱うようにしているので、確実に継続駐車であるか新規駐車であるかを判断することができる。
【００２０】
請求項５に係る発明によれば、駐車判断装置により継続駐車として取り扱った旨または新規駐車として取り扱った旨を報知する報知手段を備えるようにしているので、報知手段により、利用者が自己の車両が継続駐車であるか新規駐車であるかを確認することができる。
【００２１】
請求項６に係る発明によれば、駐車判断装置に、駐車判断装置による再入庫後のプレート情報と出庫前のプレート情報とに基づく継続駐車または新規駐車の判断結果を修正する入力部を設けるようにしているので、入力部により判断結果の修正を行うことができる。
【００２２】
請求項７に係る発明によれば、駐車判断装置を、駐車場に設置される精算機または車室に設置される端末装置の少なくとも一方に設けるようにしているので、精算機または端末装置により継続駐車または新規駐車の判断を行うことができる。
【００２３】
請求項８に係る発明によれば、報知手段を、駐車場に設置される精算機または車室に設置される端末装置の少なくとも一方に設けるようにしているので、精算機または端末装置により継続駐車または新規駐車の判断結果を報知することができる。
【図面の簡単な説明】
【００２４】
【図１】本発明に係る駐車場システムの実施形態を示す概略構成図である。
【図２】本発明に係る駐車場システムの実施形態における制御構成を示す概略構成図である。
【図３】本発明に係る駐車場システムの実施形態における駐車判断を示す説明図である。
【図４】本発明に係る駐車場システムの実施形態における他の駐車判断を示す説明図である。
【図５】本発明に係る駐車場システムの実施形態における入場動作を示すフローチャートである。
【図６】本発明に係る駐車場システムの実施形態における駐車判断動作を示すフローチャートである。
【発明を実施するための形態】
【００２５】
以下、本発明の実施の形態について図面を参照しながら説明する。
【００２６】
図１は本発明に係る駐車場システムの第１実施形態を示す概略図である。図１に示すように、本実施形態の駐車場システムにおける駐車場は、車両１を駐車させるための複数の車室２を備えており、各車室２には、端末装置３がそれぞれ設置されている。また、各車室２には、車両１が入出庫したことを検出するための車両センサ４が設置されている。さらに、駐車場には、駐車場利用者が駐車料金の精算を行うための精算機５が設置されており、本実施形態においては、精算機５には、駐車判断装置６が内蔵されている。なお、本実施形態においては、車両検出装置として車両センサ４を用いたが、車両検出装置はこれに限定されるものではない。
【００２７】
次に、本発明の制御構成について、図２を参照して説明する。
【００２８】
端末装置３には、端末装置３の各種制御を行う端末制御部７が設けられており、端末装置３には、精算機５との間で通信を行う端末通信部８が設けられている。また、端末装置３には、車室２に駐車する車両１の車番プレートを撮影するためのカメラ９が設置されており、端末装置３には、カメラ９により撮影された撮影画像を取得する画像取得部１０が設けられている。また、端末装置３には、車室２に駐車した車両１の駐車状態を表示する報知手段としての端末表示部１１が設けられており、端末装置３には、入力部としての端末入力部１２が設けられている。
【００２９】
また、車両センサ４による車両１の検出信号は、端末装置３に送られるように構成されており、画像取得部１０は、車両センサ４による車両１の検出信号が端末装置３に送られた場合に、カメラ９の撮影画像を取得して、端末通信部８を介して精算機５に送るように構成されている。
【００３０】
また、精算機５には、精算などの各種処理を行う精算制御部１３が設けられており、精算機５には、端末装置３との間で通信を行う精算通信部１４が設けられている。また、精算機５には、駐車料金の精算処理を行うための精算部１５が設けられており、精算機５には、駐車場の利用者が車室番号などを入力して精算処理を行うための精算入力部１６が設けられている。精算機５には、精算時に所定の表示を行う精算表示部２３が設けられており、精算機５には、駐車料金の未納情報を格納するための料金未納管理データベース１７が設けられている。
【００３１】
そして、精算機５には、端末装置３から端末通信部８および精算通信部１４を介して車両センサ４による車両１の入出庫情報が送られるように構成されている。精算部１５は、端末装置３から端末通信部８および精算通信部１４を介して車両１の入庫情報が送られた場合に、該当する車室２の駐車時間の計数を行い、利用者が精算入力部１６により車室番号を入力して精算処理を行う場合に、駐車時間に応じた精算処理を行うように構成されている。また、精算機５は、駐車料金の精算を行わないで車両１が出庫した場合に、料金未納管理データベース１７に後述する車両１のプレート情報、車室番号や駐車時間などの駐車情報とともに料金未納情報を格納するように構成されている。
【００３２】
また、駐車判断装置６には、各種制御を行う駐車判断制御部１８が設けられている。また、駐車判断装置６には、画像処理部１９が設けられており、この画像処理部１９は、端末装置３から送られる撮影画像を画像処理して車番プレートのプレート情報をテキストデータ化するように構成されている。駐車判断装置６には、画像処理部１９によりテキストデータ化されたプレート情報を格納するプレート情報データベース２０が設けられており、プレート情報データベース２０には、テキストデータ化されたプレート情報は、陸運支局コード、車種コード、用途コード、一連番号に分類して格納されるように構成されている。
【００３３】
さらに、駐車判断装置６には、駐車判断部２１が設けられており、駐車判断部２１は、精算処理を行っていない車両１が車室２から出庫したことを車両センサ４により検出して、その出庫情報が端末装置３から精算機５を介して送られた場合に、時間情報として一定の待機時間が経過する間に、当該車室２に車両１が再入庫したら、出庫した車両１のプレート情報と再入庫した車両１のプレート情報とを比較して、その比較結果に基づいて継続駐車であるか新規駐車であるかを判断するように構成されている。この場合に、本実施形態においては、駐車判断部２１は、テキストデータ化されたプレート情報を認識することができない場合は、そのまま「不明」として取り扱うようになっている。
【００３４】
すなわち、図３に示すように、駐車判断部２１は、出庫した車両１のプレート情報と、再入庫した車両１のプレート情報とを比較した場合に、完全に一致した場合、および、例えば、一連番号のうち１桁のみが不明であり、その他のプレート情報が一致するような場合で、両者が９０％以上の割合で一致する場合には、同一の車両１として認識し、同一の車両１が再入庫したとして継続駐車として判断する。この場合には、駐車判断装置６から端末装置３に判断結果を送信し、端末装置３の端末表示部１１に、継続駐車である旨を表示させるように構成されている。なお、図３においては、プレート情報が不明の場合に「？」で示している。
【００３５】
また、出庫した車両１のプレート情報と、再入庫した車両１のプレート情報とを比較した場合に、例えば、車種コードの一桁と、一連番号の１桁が不明であり、その他のプレート情報が一致するような場合で、両者が８０％以上９０％未満の割合で一致する場合には、同一の車両１である可能性はあるものの異なる車両１とする「あいまい」な状態であると認識して、異なる車両１が入庫したとして新規駐車として判断する。この場合には、駐車判断装置６から端末装置３に判断結果を送信し、端末装置３の端末表示部１１に、新規駐車である旨を表示させるとともに、比較的高い割合で一致していることから、継続駐車である可能性もあるので、継続駐車の可能性がある旨も表示させるように構成されている。
【００３６】
また、出庫した車両１のプレート情報と、再入庫した車両１のプレート情報とを比較した場合に、例えば、再入庫した車両１のプレート情報のすべてが不明であるような場合で、両者が８０％未満の割合で一致する場合には、異なる車両１として認識して、異なる車両１が入庫したとして新規駐車として判断する。この場合には、駐車判断装置６から端末装置３に判断結果を送信し、端末装置３の端末表示部１１に、新規駐車である旨を表示させるように構成されている。
【００３７】
この場合に、本実施形態においては、出庫した車両１のプレート情報と、再入庫した車両１のプレート情報とが９０％以上の割合で一致する場合に継続駐車として判断し、両者が８０％以上９０％未満の割合で一致する場合に継続駐車の可能性があるものの新規駐車として判断し、両者が８０％未満の割合で一致する場合に新規駐車として判断するようにしているが、この出庫した車両１のプレート情報と、再入庫した車両１のプレート情報との一致する割合は、カメラ９により画像の解像度や画像処理部１９による画像処理性能などに応じて、任意に設定することができるものである。
【００３８】
また、本実施形態においては、端末装置３の端末入力部１２が駐車判断装置６の入力部としても機能するように構成されており、利用者が端末表示部１１の表示を視認して、例えば、継続駐車であるにもかかわらず、新規駐車であるとして表示されたような場合や新規駐車であるにもかかわらず継続駐車として表示されたような場合には、利用者は、端末入力部１２を操作して、出庫した車両１のプレート情報、出庫日時、車室番号および入庫した車両１のプレート情報、入庫日時、車室番号を精算表示部２３に表示させ、これらの情報を確認した上で、継続駐車であるか、あるいは、新規駐車であるかを入力して修正することができるように構成されている。
【００３９】
なお、出庫した車両１のプレート情報と再入庫した車両１のプレート情報とを比較して、その比較結果に基づいて継続駐車であるか新規駐車であるかを判断する際に、例えば、プレート情報の認識のしやすさに応じて重み付けを行い、この重み付けした結果のプレート情報に基づいて、継続駐車であるか新規駐車であるかを判断するようにしてもよい。また、プレート情報のうち、一連番号は文字が大きく認識しやすいことから、出庫した車両１のプレート情報の一連番号と再入庫した車両１のプレート情報の一連番号が、例えば、９０％以上など一定以上の割合で一致した場合には、同一の車両１であると判断するようにしてもよい。
【００４０】
なお、プレート情報が不明の場合に、その他のプレート情報に基づいて新規駐車であるか継続駐車であるかを判断するようにしてもよいし、必ず、新規駐車と判断するようにしてもよい。さらに、プレート情報が不明の場合は、設定により判断方法を変更できるようにしてもよい。
【００４１】
また、出庫した車両１のプレート情報と、再入庫した車両１のプレート情報とを比較した場合に、例えば、再入庫した車両１のプレート情報を認識することはできたが、出庫した車両１のプレート情報とは異なった場合、すなわち、プレート情報を誤読した場合には、例えば、図４に示すように、プレート情報が完全一致した場合にのみ継続駐車として判断し、１つでもプレート情報が異なった場合には、新規駐車として判断するようにしてもよい。これは、プレート情報が１つでも異なった場合は、実際に１つのプレート情報が異なる他の車両が再入庫した可能性があるためである。
【００４２】
さらに、精算機５は、中央管理システム２２と通信可能とされており、中央管理システム２２には、駐車判断装置６による継続駐車であるか新規駐車であるかの判断結果が送られるようになっており、中央管理システム２２は、精算機５を介して遠隔操作により、継続駐車であるか新規駐車であるかの判断結果を修正することができるように構成されている。
【００４３】
なお、前述の継続駐車あるいは新規駐車の修正を行う場合、例えば、中央管理システム２２に、継続駐車であるか新規駐車であるかの情報を送信しておき、利用者が、精算機５あるいは端末装置３を介して中央管理システム２２のオペレータを呼び出して、オペレータによる遠隔操作により、継続駐車あるいは新規駐車の修正を行うようにしてもよい。
【００４４】
次に、本実施形態の入場動作について、図５に示すフローチャートを参照して説明する。
【００４５】
本実施形態においては、まず、車両センサ４により、駐車場の車室２の車両１が入庫したことを検出したら（ＳＴ１）、画像取得部１０により、カメラ９による撮影画像を取得し（ＳＴ２）、この取得した撮影画像を駐車判断装置６に送る。
【００４６】
そして、駐車判断装置６の画像処理部１９により、端末装置３から送られる撮影画像を画像処理して車番プレートのプレート情報をテキストデータ化し、駐車判断部２１により、プレート情報を、陸運支局コードと、車種コードと、用途コードと、一連番号とに分類してプレート情報データベース２０に記録する（ＳＴ３）。
【００４７】
一方、端末装置３は、車両センサ４により車両１の入庫を検出したら、入庫情報を精算機５に送り、精算機５の精算部１５により、駐車時間の計数が開始される。
【００４８】
利用者が精算する場合は、精算機５の精算入力部１６により駐車した車室番号を入力することにより、精算部１５により、駐車時間に応じた駐車料金を精算することにより、精算処理が完了する。
【００４９】
次に、本実施形態の駐車判断動作について、図６に示すフローチャートを参照して説明する。
【００５０】
まず、車両センサ４により車両１の出庫が検出されたら（ＳＴ１０）、精算処理が完了しているか否か判断し（ＳＴ１１）、精算処理が完了している場合は（ＳＴ１１：ＹＥＳ）、プレート情報データベース２０に記録されたプレート情報を削除する（ＳＴ２０）。
【００５１】
一方、精算処理が完了していない場合は（ＳＴ１１：ＮＯ）、未納情報を料金未納管理データベース１７に記録し（ＳＴ１２）、一定の待機時間内に車両１が再入庫するか否か監視する（ＳＴ１３）。そして、待機時間内に車両１が入庫しない場合は（ＳＴ１４：ＮＯ）、不正駐車であるとして、不正駐車情報を料金未納管理データベース１７の料金未納情報に登録するとともに中央管理システム２２に送信する（ＳＴ２１）。
【００５２】
そして、待機時間内に車両１が入庫した場合には（ＳＴ１４：ＹＥＳ）、出庫した車両１のプレート情報と再入庫した車両１のプレート情報とを比較して（ＳＴ１５）、その比較結果に基づいて継続駐車であるか新規駐車であるかを判断し（ＳＴ１６）、その判断結果を端末表示部１１に表示させる（ＳＴ１７）。そして、新規駐車と判断した場合には（ＳＴ１８：ＹＥＳ）、料金未納管理データベース１７の料金未納情報はそのままとし（ＳＴ２２）、継続駐車と判断した場合は（ＳＴ１８：ＮＯ）、料金未納管理データベース１７の料金未納情報を削除する（ＳＴ１９）。
【００５３】
以上述べたように、本実施形態においては、駐車判断装置６により、出庫した車両１のプレート情報と再入庫した車両１のプレート情報とを比較して、その比較結果に基づいて継続駐車であるか新規駐車であるかを判断するようにしているので、一時的に車両１を出庫させて再入庫させた場合でも、継続駐車として取り扱うことができ、使い勝手を著しく向上させることができる。
【００５４】
なお、前記実施形態においては、駐車判断装置６を精算機５に内蔵した場合について説明したが、駐車判断装置６を端末装置３に内蔵させるようにしてもよい。さらに、駐車判断装置６を精算機５や端末装置３と独立して設置するようにしてもよい。また、前記実施形態においては、報知手段としての端末表示部１１を端末装置３に設けるようにしたが、報知手段を精算機５に設置するようにしてもよい。
【００５５】
また、本発明は上記実施形態に限定されるものではなく、本発明の趣旨に基づいて種々の変形が可能である。
【符号の説明】
【００５６】
１  車両
２  車室
３  端末装置
４  車両センサ
５  精算機
６  駐車判断装置
７  端末制御部
８  端末通信部
９  カメラ
１０  画像取得部
１１  端末表示部
１２  端末入力部
１３  精算制御部
１４  精算通信部
１５  精算部
１６  精算入力部
１７  料金未納管理データベース
１８  駐車判断制御部
１９  画像処理部
２０  プレート情報データベース
２１  駐車判断部
２２  中央管理システム
２３  精算表示部
【図１】
2014075081.tif 000003
【図２】
2014075081.tif 000004
【図３】
2014075081.tif 000005
【図４】
2014075081.tif 000006
【図５】
2014075081.tif 000007
【図６】
2014075081.tif 000008